(57)【要約】【課題】照明器具の配光パターンを変更する際に、容易かつ安価で廃材の発生の少ない照明器具を提供することにある。【解決手段】ランプ５が装着されるソケット４を一面に具備した灯具本体３と、灯具本体３の一面とランプ５の間に配置されて、灯具本体３に取り付けられる反射笠６とを備え、反射笠６は一面が凹面、他面が凸面または平面に形成され、反射笠６の一面と他面とのいずれを灯具本体３の一面に対向させた場合でも灯具本体３に取り付け可能となっている。【選択図】図１
2009238543.tif 000002
【特許請求の範囲】
【請求項１】
ランプが装着されるソケットを一面に具備した灯具本体と、
灯具本体の一面とランプの間に配置されて、灯具本体に取り付けられる反射笠とを備え、
反射笠は、一面が凹面、他面が凸面または平面に形成され、反射笠の一面と他面とのいずれを灯具本体の一面に対向させた場合でも、灯具本体に取り付けられることを特徴とする照明器具。
【請求項２】
前記灯具本体は、１つの直管型ランプが１組のソケットに装着される１灯用の灯具本体と、２つの直管型ランプが２組のソケットに各々装着される２灯用の灯具本体とのいずれか一方であり、前記反射笠に対する１灯用の灯具本体のソケットの配置と、反射笠に対する２灯用の灯具本体のソケットの配置とは互いに異なり、
反射笠は、１灯用の灯具本体に設けられたソケットが挿通するためのノックアウト部と、２灯用の灯具本体に設けられたソケットが挿通するための切り欠き部または孔部とが設けられることを特徴とする請求項１記載の照明器具。
【請求項３】
前記灯具本体は、１つの直管型ランプが１組のソケットに装着される１灯用の灯具本体と、２つの直管型ランプが２組のソケットに各々装着される２灯用の灯具本体とのいずれか一方であり、前記反射笠に対する１灯用の灯具本体のソケットの配置と、反射笠に対する２灯用の灯具本体のソケットの配置とは互いに異なり、
反射笠は、２灯用の灯具本体に設けられたソケットが挿通するためのノックアウト部と、１灯用の灯具本体に設けられたソケットが挿通するための切り欠き部または孔部とが設けられることを特徴とする請求項１記載の照明器具。
【発明の詳細な説明】
【技術分野】
【０００１】
本発明は、照明器具に関するものである。
【背景技術】
【０００２】
従来より、照明器具として図１０に示すような、長尺状に形成されてレースウェイ等に取り付けられる灯具本体２１と、灯具本体２１に取り付けられるソケット２２と、ソケット２２に支持されるランプ２３と、灯具本体２１とランプ２３との間に配設される反射笠２４とを備えたものが提供されている（例えば、特許文献１参照）。
【０００３】
まず、灯具本体２１は、下面を開放した長尺の中空箱型に形成されて長尺方向の両端の下面側には、それぞれソケット２２が設けられ、灯具本体２１の上面には、所定の間隔を空けてそれぞれ挿通孔２１ａが設けられている。挿通孔２１ａには、灯具本体２１をレースウェイ等に固定するための取り付け金具（図示せず）のねじ部２５が上面側より挿通し、挿通孔２１ａを挿通したねじ部２５がワッシャ２６を介してナット２７に螺合されることで灯具本体２１はレースウェイ等に固定される。また、灯具本体２１の下面側には、所定の間隔を空けて楕円形状の回転自在な固定具２１ｂが２箇所に配設されている。さらに、灯具本体２１内部には、ランプ２３を点灯させる点灯回路２８が収納されている。
【０００４】
ソケット２２は、樹脂等の非導電性材料から形成され、一対の端子穴２２ａを有する。
【０００５】
ランプ２３は、所謂直管型のランプで、両端の口金２３ａには、一対の端子２３ｂが各々設けられ、各端子２３ｂがソケット２２に設けられた端子穴２２ａに各々挿入されることでランプ２３はソケット２２に支持される。
【０００６】
反射笠２４は、下方に湾曲したお椀型の長尺状に形成され、上面が灯具本体２１の下面に対向して配設される。また、反射笠２４には、所定の間隔を空けて固定具２１ｂが挿通する楕円形状の挿通孔２４ａが２箇所設けられており、固定具２１ｂが挿通孔２４ａを挿通した後に９０度回転することによって反射笠２４は灯具本体２１に固定される。そして、反射笠２４は、その下面側に配設されるランプ２３の光を反射する。
【特許文献１】特開平４−１４４００４号公報
【発明の開示】
【発明が解決しようとする課題】
【０００７】
上記従来例における照明器具では、工場等のように頻繁にレイアウトが変更されるような場所において、配光パターンの変更を行う際に、既存の照明器具を取り外して配光パターンの異なる新たな照明器具に変更する必要があり、配光パターンの変更にかかる費用が高価となり、さらには廃材が多く発生して不向きなものであった。
【０００８】
本発明は、上記事由に鑑みてなされたものであり、その目的は、配光パターンを容易且つ安価に変更でき、配光パターンの変更後に発生する廃材の少ない照明器具を提供することができる。
【課題を解決するための手段】
【０００９】
請求項１の発明は、ランプが装着されるソケットを一面に具備した灯具本体と、灯具本体の一面とランプの間に配置されて、灯具本体に取り付けられる反射笠とを備え、反射笠は、一面が凹面、他面が凸面または平面に形成され、反射笠の一面と他面とのいずれを灯具本体の一面に対向させた場合でも、灯具本体に取り付けられることを特徴とする。
【００１０】
この発明によれば、反射笠の取り付け方向を変更するだけで、拡散配光と下面配光とのいずれかの配光パターンに切り替えることができるため、配光パターンを容易且つ安価に変更でき、配光パターンの変更後に発生する廃材の少ない照明器具を提供することができる。。
【００１１】
請求項２の発明は、前記灯具本体は、１つの直管型ランプが１組のソケットに装着される１灯用の灯具本体と、２つの直管型ランプが２組のソケットに各々装着される２灯用の灯具本体とのいずれか一方であり、前記反射笠に対する１灯用の灯具本体のソケットの配置と、反射笠に対する２灯用の灯具本体のソケットの配置とは互いに異なり、反射笠は、１灯用の灯具本体に設けられたソケットが挿通するためのノックアウト部と、２灯用の灯具本体に設けられたソケットが挿通するための切り欠き部または孔部とが設けられることを特徴とする。
【００１２】
この発明によれば、当該反射笠を２灯用の灯具本体に取り付ける際には、反射笠には特に加工を施す必要がなくそのまま取り付けることができる。また、２灯用の灯具本体を１灯用の灯具本体に変更する際には、反射笠に設けられたノックアウト部をニッパまたは、手で取り除くことで取り付けが可能となる。以上のことから、２灯用の灯具本体に反射笠を取り付けた際に、反射笠に不必要な切り欠き等がないため見栄えが良く、１灯用の灯具本体に変更する際には、反射笠のノックアウト部を取り除くことで簡単に付け替えが行える。
【００１３】
請求項３の発明は、前記灯具本体は、１つの直管型ランプが１組のソケットに装着される１灯用の灯具本体と、２つの直管型ランプが２組のソケットに各々装着される２灯用の灯具本体とのいずれか一方であり、前記反射笠に対する１灯用の灯具本体のソケットの配置と、反射笠に対する２灯用の灯具本体のソケットの配置とは互いに異なり、反射笠は、２灯用の灯具本体に設けられたソケットが挿通するためのノックアウト部と、１灯用の灯具本体に設けられたソケットが挿通するための切り欠き部または孔部とが設けられることを特徴とする。
【００１４】
この発明によれば、当該反射笠を１灯用の灯具本体に取り付ける際には、反射笠には特に加工を施すことがなくそのまま取り付けることができる。また、１灯用の灯具本体を２灯用の灯具本体に変更する際には、反射笠に設けられたノックアウト部をニッパまたは、手で取り除くことで取り付けが可能となる。以上のことから、１灯用の灯具本体に反射笠を取り付けた際に、反射笠に不必要な切り欠き等がないため見栄えが良く、２灯用の灯具本体に変更する際には、反射笠のノックアウト部を取り除くことで簡単に付け替えが行える。
【発明の効果】
【００１５】
以上説明したように、本発明では、配光パターンを容易且つ安価に変更でき、配光パターンの変更後に発生する廃材の少ない照明器具を提供できる。
【発明を実施するための最良の形態】
【００１６】
以下、本発明の実施の形態を図面に基づいて説明する。
【００１７】
（実施形態１）
本発明における照明器具は図１、図２に示すように、レースウェイ１等に取り付けられる照明器具であって、取り付け金具２を介してレースウェイ１に取り付けられる灯具本体３と、灯具本体３に配設される一対のソケット４と、一対のソケット４に支持されるランプ５と、灯具本体３とランプ５との間に配設される反射笠６とを備えている。
【００１８】
レースウェイ１は、断面が矩形で長尺状に形成され、下面略中央にレースウェイ１の長尺方向に沿って開口部１ａが形成されている。そして、開口部１ａによって２分された下面はそれぞれ、レースウェイ１の内部方向へ折曲され、取り付け金具２を係止する係止部１ｂを形成している。
【００１９】
取り付け金具２は、矩形状の係止板２ａとねじ２ｂとから構成され、係止板２ａは、長手方向両端がレースウェイ１の係止部１ａに沿って各々折曲され、係止板２ａの略中央には、ねじ２ｂが上方より挿通する挿通孔（図示せず）が設けられている。また、取り付け金具２は、レースウェイ１の長手方向に沿ってスライド可能となっており、係止板２ａがレースウェイ１に係止された状態から９０°回転されることでレースウェイ１から着脱可能となっている。
【００２０】
灯具本体３は、下面が開口した長尺箱型の本体ケース７と、長尺板状の給電ユニット８とから構成されている。
【００２１】
本体ケース７は、所定の間隔を空けて２つの挿通孔７ａと２つのねじ孔部７ｂとが設けられており、挿通孔７ａを挿通した取り付け金具２のねじ部２ｂが蝶ナット１５に螺合されることによって、レースウェイ１に固定される。
【００２２】
給電ユニット８は、所定の間隔を空けて２つの挿通孔８ａと２つのねじ孔部８ｂとが設けられている。そして、給電ユニット８の下面側には、ランプ５を点灯させる点灯回路９が配設されている。また、給電ユニット８の挿通孔８ａが下方よりねじ１０に各々挿通され、ねじ１０が本体ケース７のねじ孔部７ｂに螺合されることによって、給電ユニット８はケース本体７の下面側に固定される。
【００２３】
ソケット４は、例えば樹脂等の非導電性材料から形成されて、給電ユニット８の長手方向両端における下面側にそれぞれ配設されている。また、ソケット４には、一対の端子穴４ａが設けられている。
【００２４】
ランプ５は、所謂直管型のランプで、長手方向両端に口金部５ａが配設され、口金部５ａには一対の端子部５ｂが突設されている。ここで、ランプ５の各端子部５ｂがソケット４の端子穴４ａにそれぞれ挿入されることにより、ランプ５はソケット４に支持接続される。
【００２５】
反射笠６は、長尺矩形の平板部６ｆと、平板部６ｆの短手方向両端から平板部６ｆの一面６α側へ互いの距離を広げながら延設された一対の延設部６ｇとを有する富士型形状に形成され、長手方向に所定の間隔を空けて２箇所の挿通孔１６が平板部６ｆに設けられている。反射笠６は、給電ユニット８の下面に平板部６ｆを対向して配設され、反射笠６に設けられた挿通孔１６がねじ１１に下方より挿通され、ねじ１１が給電ユニット８のねじ孔部８ｂに螺合されることによって、反射笠６は給電ユニット８に固定される。また、平板部６ｆの長手方向両端には、切り欠き部６ｂが設けられており、切り欠き部６ｂには短手方向に沿って２つの突起部６ａが等間隔に設けられている。そして、切り欠き部６ｂに設けられた２つの突起部６ａの間にソケット４が挿通することで、反射笠６はソケット４と干渉することなく給電ユニット８に取り付けられる。
【００２６】
ここで、本実施形態における照明器具では、給電ユニット８の下面に対して反射笠６の平板部６ｆは、一面６α側と他面６β側のいずれの面においても取り付け可能となっており、反射笠６の取り付け方向を上下逆にすることで配光パターンを変更することができる。
【００２７】
まず、反射笠６が延設部６ｇを下方に向けて、他面６β側を灯具本体８の下面に当接して取り付けられた照明器具では、図２に示すように下方から反射笠６を見るとランプ５を覆う様な凹形状となっており、ランプ５から照射された光は、平板部６ｆまたは延設部６ｇで反射して下方を照射する経路、平板部６ｆで反射した後に延設部６ｇで反射して下方を照射する経路、直接下方を照射する経路のいずれかを通り、照射範囲はランプ５から延設部６ｇの先端を結ぶ直線の内側の範囲に限られ、ランプ５の直下を中心として、限定された範囲に光を照射する下方配光となっている。
【００２８】
次に、下方配光の照明器具の配光パターンを変更する際には、反射笠は延設部６ｇを上方に向け、平板部６ｆの一面６α側を灯具本体８の下面に当接して取り付ける。そうすることによって、図３に示すように下方から反射笠６を見ると平面形状となっている。この反射笠６では、ランプ５から照射された光の内、反射笠６の短手方向へ照射された光は、前記下方配光時のように延設部６ｇで反射されるという制限がないため、下方配光時よりも広範囲に渡って光を照射する拡散配光となる。
【００２９】
従って、本実施形態における照明器具においては、反射笠６の取り付け方向を上下逆に変更するだけで配光パターンの変更が行えるので、新規に配光パターンの異なる照明器具を用意する必要がなく、元の照明器具の部品のみを用いて配光パターンを変更することができる。
【００３０】
このように本実施形態における照明器具では、灯具本体３に対する反射笠６の取り付け方向を変えるだけで、照明器具の配光パターンを変更でき、新たに配光パターンの異なる照明器具を用意する必要がない。よって、配光パターンを容易且つ安価に変更でき、配光パターンの変更後に廃材は発生しない。
【００３１】
なお、本実施形態では、反射笠６における平板部６ｆは平面形状となっているが、延設部６ｇを上方に向けて反射笠６を給電ユニット８の下面に取り付けた場合に、下方から見て平板部６ｆが下方に突出した凸形状となるように形成され、拡散配光を行う構成でもよい。
【００３２】
（実施形態２）
以下、本発明の実施形態２について図４，５，６を用いて説明する。但し、実施形態１と共通する部分については説明を省略する。本実施形態における灯具本体は、１灯用の灯具本体３と２灯用の灯具本体１３のいずれか一方を選択して用いることができ、灯具本体３は実施形態１と同様の構成からなる。
【００３３】
灯具本体１３は、本体ケース７と、長尺板状の２灯用の給電ユニット１４とから構成されており、本体ケース７は、実施形態１と同様の構成から成り、給電ユニット１４は、所定の間隔を空けて２つの挿通孔１４ａと２つのねじ孔部１４ｂとが設けられ、その下面側には、ランプ５を点灯させる点灯回路９が配設されている。そして、給電ユニット１４の挿通孔１４ａが下方よりねじ１０に各々挿通され、ねじ１０が本体ケース７のねじ孔部７ｂに螺合されることによって、給電ユニット１４はケース本体７の下面側に固定される。さらに、給電ユニット１４の長手方向両端における下面側には、２組のソケット４が各々給電ユニット１４の短手方向に所定の間隔を空けて並設されている。
【００３４】
すなわち、灯具本体３は１灯用の照明器具に用いられ、灯具本体１３は２灯用の照明器具に用いられる。
【００３５】
また、反射笠６Ａは図５に示すように、実施形態１における反射笠６の切り欠き部６ｂが、平板部６ｆの短手方向に等間隔に形成された２つの突片６ｃによって３つの切り欠き部６ｄに分割され、中央の切り欠き部６ｄにノックアウト部６ｅが設けられたものである。ノックアウト部６ｅは手又はニッパを用いて簡単に取り外すことができる。
【００３６】
ここで、本実施形態では２灯用の照明器具から１灯用の照明器具に変更する場合についての説明を行う。
【００３７】
まず、灯具本体１３に反射笠６Ａが取り付けられた２灯用の照明器具において反射笠６Ａは、長手方向両端に設けられた２つの切り欠き部６ｂに２組のソケット４がそれぞれ挿通されることで、反射笠６Ａとソケット４とが干渉することなく反射笠６Ａが灯具本体１３に取り付けられる。また、２灯用の灯具本体１３に反射笠６Ａが取り付けられている時には、反射笠６Ａにノックアウト部６ｅが設けられているため不必要な切り欠きがなく、見栄えが良くなり、加えて反射笠６Ａと給電ユニット１４との間に埃が侵入するのを防ぐことができる。
【００３８】
さらに、上記２灯用の照明器具において、反射笠６Ａが図６に示すように、延設部６ｇを下方に向けて灯具本体１３に取り付けられた際には、実施形態１と同様に下方配光となり、図７に示すように、延設部６ｇを上方に向けて取り付けられた際には、実施形態１と同様に拡散配光となる。
【００３９】
次に、２灯用の照明器具を１灯用の照明器具に変更する際には、２灯用の給電ユニット１４を取り外して１灯用の給電ユニット８に組み替え、反射笠６Ａのノックアウト部６ｅを取り除き、ノックアウト部６ｅが取り除かれた箇所に出来る切り欠き部６ｄに１灯用の給電ユニット８に配設された１組のソケット４が各々挿通することで、反射笠６Ａとソケット４とが干渉せず、反射笠６Ａは給電ユニット８の下面に取り付けられる。以上の様にして２灯用の照明器具は、１灯用の照明器具に変更される。
【００４０】
そして、当該１灯用の照明器具についても、２灯用の照明器具の時と同様に、反射笠６Ａが延設部６ｇを下方に向けて灯具本体１３に取り付けられた際には下方配光となり、延設部６ｇを上方に向けて取り付けられた際には拡散配光となる。
【００４１】
以上のことから、本実施形態における照明器具でも、実施形態１で示した照明器具と同様に配光パターンを下方配光と拡散配光のいずれかに容易且つ安価に切り替えることができ、配光パターン変更後に廃材を発生しない。
【００４２】
また、２灯用の照明器具を１灯用の照明器具に変更する際には、２灯用の給電ユニット１４を１灯用の給電ユニット８に交換し、反射笠６Ａに設けられたノックアウト部６ｅを取り除いた後に、反射笠６Ａを給電ユニット８の下面へ組み付けることで灯数の変更をすることができ、給電ユニット以外の部品については既存の照明器具の部品が使用できるため、廃材の発生を抑えることが出来る。
【００４３】
よって、２灯用から１灯用の照明器具への灯数の変更についても容易且つ安価に行うことができ、灯数変更後に廃材の発生の少ない照明器具を提供できる。
【００４４】
なお、本実施形態における反射笠６Ａの平板部６ｆの長手方向両端には、切り欠き部６ｄが形成されているが、切り欠き部６ｄを形成する代わりに孔部を設け、反射笠６Ａが給電ユニット１４の下面に取り付けられる際にソケット４と反射笠６Ａとが干渉しないように、ソケット４が当該孔部を挿通する構成でもよい。
【００４５】
（実施形態３）
以下、本発明の実施形態３について図８，９を用いて説明する。但し、実施形態１、２と共通する部分については説明を省略する。本実施形態における灯具本体は、１灯用の灯具本体３と２灯用の灯具本体１３のいずれか一方を選択して用いることができ、灯具本体３は実施形態１と、灯具本体１３は実施形態２と同様の構成からなる。
【００４６】
すなわち、灯具本体３は１灯用の照明器具に用いられ、灯具本体１３は２灯用の照明器具に用いられる。
【００４７】
また、反射笠６Ｂは図９に示すように、実施形態１における反射笠６の切り欠き部６ｂが、平板部６ｆの短手方向に等間隔に形成された２つの突片６ｃによって３つの切り欠き部６ｄに分割され、３つの切り欠き部６ｄの内の両端の２つの切り欠き部６ｄにノックアウト部６ｅが各々設けられたものである。ノックアウト部６ｅは手又はニッパを用いて簡単に取り外すことができる。
【００４８】
ここで、本実施形態では１灯用の照明器具から２灯用の照明器具に変更する場合についての説明を行う。
【００４９】
まず、灯具本体３に反射笠６Ｂが取り付けられた１灯用の照明器具において反射笠６Ｂは、長手方向両端に設けられた切り欠き部６ｄに１組のソケット４がそれぞれ挿通されることで、反射笠６Ｂとソケット４とが干渉することなく反射笠６Ｂが灯具本体３に取り付けられる。また、１灯用の灯具本体３に反射笠６Ｂが取り付けられている時には、反射笠６Ｂにノックアウト部６ｅが設けられているため不必要な切り欠きがなく、見栄えが良くなり、加えて反射笠６Ｂと給電ユニット８との間に埃が進入するのを防ぐことができる。
【００５０】
さらに、上記１灯用の照明器具において、反射笠６Ｂが延設部６ｇを下方に向けて灯具本体３に取り付けられた際には、実施形態１と同様に下方配光となり、延設部６ｇを上方に向けて取り付けられた際には、実施形態１と同様に拡散配光となる。
【００５１】
次に、１灯用の照明器具を２灯用の照明器具に変更する際には、１灯用の給電ユニット８を取り外して２灯用の給電ユニット１４に組み替え、反射笠６Ｂのノックアウト部６ｅを取り除き、ノックアウト部６ｅが取り除かれた箇所に出来る切り欠き部６ｄに灯具本体１３の２組のソケット４が各々挿通することで、反射笠６Ｂとソケット４とが干渉せず、反射笠６Ｂは給電ユニット１４の下面に取り付けられる。以上の様にして１灯用の照明器具は、２灯用の照明器具に変更される。
【００５２】
そして、当該２灯用の照明器具についても、１灯用の照明器具の時と同様に、反射笠６Ｂが延設部６ｇを下方に向けて灯具本体３に取り付けられた際には下方配光となり、延設部６ｇを上方に向けて取り付けられた際には拡散配光となる。
【００５３】
以上のことから、本実施形態における照明器具でも、実施形態１で示した照明器具と同様に配光パターンを下方配光と拡散配光のいずれかに容易且つ安価に切り替えることができ、配光パターン変更後に廃材を発生しない。
【００５４】
また、１灯用の照明器具を２灯用の照明器具に変更する際には、１灯用の給電ユニット８を２灯用の給電ユニット１４に交換し、反射笠６Ｂに設けられたノックアウト部６ｅを取り除いた後に、反射笠６Ｂを給電ユニット１４の下面へ組み付けることで灯数の変更をすることができ、給電ユニット以外の部品については既存の照明器具の部品が使用できるため、廃材の発生を抑えることが出来る。
【００５５】
よって、１灯用から２灯用の照明器具への灯数の変更についても容易且つ安価に行うことができ、灯数変更後に廃材の発生の少ない照明器具を提供できる。
【００５６】
なお、本実施形態における反射笠６Ｂの平板部６ｆの長手方向両端には、切り欠き部６ｄが形成されているが、切り欠き部６ｄを形成する代わりに孔部を設け、反射笠６Ｂが給電ユニット８の下面に取り付けられる際にソケット４と反射笠６Ｂとが干渉しないように、ソケット４が当該孔部を挿通する構成でもよい。
【図面の簡単な説明】
【００５７】
【図１】本発明の実施形態１の照明器具の分解斜視図を示す。
【図２】同上における照明器具の側面断面図を示す。
【図３】同上における照明器具の配光パターン変更後の側面断面図を示す。
【図４】本発明の実施形態２の照明器具の分解斜視図を示す。
【図５】同上における反射笠の要部を示す。
【図６】同上における照明器具の側面断面図を示す。
【図７】同上における照明器具の配光パターン変更後の側面断面図を示す。
【図８】本発明の実施形態３の照明器具における斜視図を示す。
【図９】同上における反射笠の要部を示す。
【図１０】従来例における照明器具の分解斜視図を示す。
【符号の説明】
【００５８】
３  灯具本体
４  ソケット
５  ランプ
６  反射笠
７  本体ケース
８  給電ユニット
【図１】
2009238543.tif 000003
【図２】
2009238543.tif 000004
【図３】
2009238543.tif 000005
【図４】
2009238543.tif 000006
【図５】
2009238543.tif 000007
【図６】
2009238543.tif 000008
【図７】
2009238543.tif 000009
【図８】
2009238543.tif 000010
【図９】
2009238543.tif 000011
【図１０】
2009238543.tif 000012